(57)【要約】【課題】［００１８］    従来の木造住宅（枠組み軸工法、２＊４工法）は耐震的に微力であり、住空間の室温安定性能が低い為エネルギー依存度が高く尚、建築時に建設系産業廃棄物を発生させ、火災時に燃えやすく有毒ガスを発生させる場合が有る。【解決手段】［００１９］    木造住宅（枠組み軸工法、２＊４工法）の外壁部位に建設系産業廃棄物（窯業系サイディング等｛産業廃棄物分類は、ガラスくず、コンクリートくず及び陶磁器くず｝）を混入したコンクリート状の物を挿入することにより耐震強度を補強し、室内温度を適度に安定させなお産業廃棄物の削滅に貢献し、燃えにくくし人命を保護する。【選択図】図２
2009264091.tif 000002
【特許請求の範囲】
【請求項１】
木造住宅（粋組み軸工法、２＊４工法）において、窯業系外装建材廃棄物（窯業系サイディング等｛産業廃棄物分類は、ガラスくず、コンクリートくず及び陶磁器くず｝）を利用して壁耐力を強化する事を特徴とする壁構造。
【請求項２】
木造住宅（粋組み軸工法、２＊４工法）において、窯業系外装建材廃棄物（窯業系サイディング等｛産業廃棄物分類は、ガラスくず、コンクリートくず及び陶磁器くず｝）を利用して壁内に蓄熱させ、室内温度の安定維持を図る事を特徴とする壁構造。
【請求項３】
木造住宅（枠組み軸工法、２＊４工法）において、窯業系外装建材廃棄物（窯業系サイディング等｛産業廃棄物分類は、ガラスくず、コンクリートくず及び陶磁器くず｝）を再利用出来る事を特徴とする壁構造。
【請求項４】
木造住宅（枠組み軸工法、２＊４工法）において、窯業系外装建材廃棄物（窯業系サイディング等｛産業廃棄物分類は、ガラスくず、コンクリートくず及び陶磁器くず｝）を利用して耐火性能を向上させる事を特徴とする壁構造。
【発明の詳細な説明】
【技術分野】
【０００１】  この発明は木造住宅（枠組み軸工法、２＊４工法）における耐震強化、住空間の環境向上及び省エネルギー、住宅の耐火性向上、長寿命化、産業廃棄物の削滅に開する。
【背景技術】
【０００２】  従来の木造住宅（枠組み軸工法、２＊４工法）の壁構造は、図１、に示すような構造が一般的である。
【発明が解決しようとする課題】
【０００３】しかしながら、以上の技術によれば、新たに産業廃棄物を発生させる、断熱材に蓄熱性能が無い或いは少ない為室内温度の振幅巾が大きいのでエネルギーに依存して室内温度環境を調整する必要性が高い、室温安定性能を維持する為に高気密高断熱性能が問われ酸欠状態を起こしやすい又は空気調整が難しい、断熱材の耐震強度に依存出来ない、コストが高い、又、有機質断熱材の使用によって火災時に燃焼又は収縮する、有毒ガスを発生する、等の問題を含有する。  そこで、この発明は、産業廃棄物の有効使用と共に、室内温度を生活適度に（エネルギーに依存しないで）安定させ、尚耐震強度が高く、産業廃棄物を排出しない住宅を適切価格で提供することを課題とする。
【課題を解決するための手段】
【０００４】  以上の課題を解決するために、第一発明は、建設系産業廃棄物（窯業系サイディング等｛産業廃棄物分類は、ガラスくず、コンクリートくず及び陶磁器くず｝）を適度に粉砕し、セメント、砂、水、と混錬してから柱から柱、土台から梁又は桁の空間に充填し、固めることにより壁耐力の強化を計った構造を特徴とする木造住宅外壁構造である。
【０００５】  また、第二発明は、建設系産業廃棄物（窯業系サイディング等｛産業廃棄物分類は、ガラスくず、コンクリートくず及び陶磁器くず｝）を適度に粉砕し、セメント、砂、水、と混錬してから柱から柱、土台から梁又は桁の間に充填し固めて蓄熱材とし、室外側に無機断熱を施して外部との熱の交流を遮断することによりこの充填材に熱を室内に放出又は吸収させ、室内温度を安定的に保つ事が出来ることを特徴とする木造住宅外壁構造である。
【０００６】      また、第三発明は、建設系産業廃棄物（窯業系サイディング等｛産業廃棄物分類は、ガラスくず、コンクリートくず及び陶磁器くず｝）を適度に粉砕し、セメント、砂、水、と混錬してから柱から柱、土台から梁又は桁の間に充填し固めて使用する事により現状では最終処分場（安定型）に埋め立て処分扱いとなっている建設系産業廃棄物の有効使用を計る事を特徴とする木造住宅外壁構造である。
【０００７】      また、第四発明は、、建設系産業廃棄物（窯業系サイディング等｛産業廃棄物分類は、ガラスくず、コンクリートくず及び陶磁器くず｝）を適度に粉砕し、セメント、砂、水、と混錬してから柱から柱、土台から梁又は桁の間に充填し固めて使用する事に併せ、無機系断熱材の使用により燃えにくく有機ガスを発生させない事を特徴とする木造住宅外壁構造である。
【発明の効果】
【０００８】      第一発明によれば、壁耐力が補強され、耐震性能が上がる。
【０００９】      第二発明によれば、木造住宅（枠組み軸工法、２＊４工法）の高気密、高断熱に重点を置かずに省エネルギーで良好な住環境を持った住宅の供給が可能になる。
【００１０】      第三発明によれば、増え続ける建設系産業廃棄物（窯業系サイディング等｛産業廃棄物分類は、ガラスくず、コンクリートくず及び陶磁器くず｝）の有効利用が高効果で可能になり建設系産業廃棄物削滅に大きく寄与することになる。
【００１１】    第四発明によれば燃えにくく、有毒ガスが発生しにくい木造住宅（枠組み軸工法、２＊４工法）の供給が可能になる。
【発明を実施するための最良の形態】
【００１２】        この発明の一実施形態を、図２に示す。【００１３】        この発明の実験データを図３に示す。
木造住宅（枠組み軸工法、２＊４工法）の外壁部分の柱、間柱の内側と外側に構造用合板等を貼り付け方枠状にした後、建設系産業廃棄物（窯業系サイディング等｛産業廃棄物分類は、ガラスくず、コンクリートくず及び陶磁器くず｝）をコンクリート骨材と同じ程度の大きさに破砕し、砂、水とで混錬した状態でこの外壁の空間部分に充填し固める。この工程は従来のレディミクストコンクリート工場或いは生コン車を利用する事が可能である。又この外壁の外側には無機系の断熱材を貼り付けて住空間を被う事により室外温度と住空間温度の隔離遮断を行う。その外側に外壁材を取り付け、外部環境からの風雨、紫外線等から住宅躯体を保護する。尚この場合外壁体内からの熱の放出、吸収により室内温度を維持する為、断熱材もしくは壁構造全体の気密性能は厳密には問われなくなる。【００１４】「実施形態の効果」
この実施形態によれば、室外温度の変化の振幅に対して室内温度の変化の振幅は四分の一程度になる。又壁倍率は１０倍以上確保できる。燃えにくく生命尊重に繋がる。尚住宅建設、解体時に発生する建設系産業廃棄物を大幅に有効使用する道が開ける。【００１５】「他の実施形態」
図２の実施形態は、この充填された建設系産業廃棄物を含むコンクリート状の物を、先行して工場での製造も可能である。この場合、木造住宅（枠組み軸工法、２＊４工法）の建て方時に同時にはめ込んでいく。尚、（プレハブリケーション住宅）にも適用可能である。
【図面の簡単な説明】
【００１６】
【図１】従来技術を示す外壁断面図である。
【図２】この発明の一実施形態を示す外壁断面図である。
【図３】この発明の一実施形態の実験データである。
【符号の説明】
【００１７】    Ａ  桁又は梁
Ｂ  柱から柱、土台から梁又は桁の空間
Ｃ  各種断熱材
Ｄ  外壁材
Ｅ  土台又は梁又は桁
Ｆ  無機系断熱材
Ｇ  内外壁構成材
Ｈ  構造用合板、耐力面材等
Ｉ  通気層
Ｊ  建設系産業廃棄物（窯業系サイディング等｛産業廃棄物分類は、ガラスくず、コンクリートくず及び陶磁器くず｝）をコンクリート骨材と同じ程度の大きさに破砕し、砂、水とで混錬した状態でこの外壁の空洞部分に充填し固めたコンクリート状の物
Ｃ外部  外部温度変化
Ａ，ＳＤコン  建設系産業廃棄物（窯業系サイディング等｛産業廃棄物分類は、ガラスくず、コンクリートくず及び陶磁器くず｝）をコンクリート骨材と同じ程度の大きさに破砕し、砂、水とで混錬した状態でこの外壁の空洞部分に充填し固めたコンクリート状の物を壁内に有する試験体の外側を断熱材で覆った試験体内部温度変化
Ｂ、ＳＤコン  建設系産業廃棄物（窯業系サイディング等｛産業廃棄物分類は、ガラスくず、コンクリートくず及び陶磁器くず｝）をコンクリート骨材と同じ程度の大きさに破砕し、砂、水とで混錬した状態でこの外壁の空洞部分に充填し固めたコンクリート状の物を壁内に有しない試験体の外側を断熱材で覆った試験体内部温度変化
【図１】
2009264091.tif 000003
【図２】
2009264091.tif 000004
【図３】
2009264091.tif 000005